【手続補正書】
【提出日】平成22年3月25日(2010.3.25)
【手続補正１】
【補正対象書類名】特許請求の範囲
【補正対象項目名】全文
【補正方法】変更
【補正の内容】
【特許請求の範囲】
【請求項１】
複数の送信アンテナ及び複数の受信アンテナを有する周波数選択性チャンネルを介した通信のための受信方法であって、
当該受信方法は、受信アンテナによって受信されるデータを処理するよう適合され、該データは、送信時に、連続的に、
（Ａ）Ｋチャンネル上で変調されており、該数Ｋは送信アンテナの数Ｔより厳密に大きく、
（Ｂ）Ｎ×Ｋの周期的拡散行列（Ｗ）またはＮ×Ｋの非周期的拡散行列（Ｗｎ）で拡散しており、ここに、Ｎは、変調されたデータのＫ次元ベクトルに渡って、Ｔよりも厳密に大きく、
（Ｃ）Ｔの送信アンテナから送信されるよう処理されており、
当該受信方法は、この目的のために反復的に、
・  受信されたデータを処理するよう適合されたＴの線形フィルタ（２０２、２０２’）により第１にフィルタリングし、ここに、ステップ（Ｂ）の拡散後に送信されるチップの評価
【数１】
2007534245.tif 000001
を生成するよう、マルチアンテナ干渉（ＭＡＩ）及び符号（シンボル）間干渉（ＩＳＩ）の評価の減算後に適用可能であり、この第１のフィルタリングは、複数の受信アンテナの空間ダイバーシティを特に考慮することと、
・  第１のフィルタリングの前または後に、先のフィルタリング動作によって生成された送信変調されたデータの評価
【数２】
2007534245.tif 000002
に基づいて計算された情報から先に再生成されたマルチアンテナ干渉（ＭＡＩ）及び符号（シンボル）間干渉（ＩＳＩ）の評価を用いて、干渉（２０１）の第１の減算を行うことと、
・  先に評価されたチップの再編成
【数３】
2007534245.tif 000003
を用いて、送信ステップ（Ｃ）のものの逆である処理（２０３）を行うことと、
・  この方法で得られた送信されたチップの評価
【数４】
2007534245.tif 000004
を処理するよう適合されたＫの線形フィルタ（２０５、２０５’）により第２にフィルタリングすることと、ここに、ステップ（Ｂ）の拡散前に送信変調されたデータの評価
【数５】
2007534245.tif 000005
を生成するよう、マルチユーザ干渉（ＭＵＩ）の評価を減算後に適切であり、この第２のフィルタリングは、複数の受信アンテナの空間ダイバーシティを特に考慮し、
・  第２のフィルタリングの前または後に、先のフィルタリングによって生成された送信変調されたデータの評価
【数６】
2007534245.tif 000006
に基づいて計算された情報から先に再生成されたＭＵＩ干渉評価を用いた干渉の第２の減算（２０４）を行うことと、
・  送信変調されたデータの前記評価
【数７】
2007534245.tif 000007
に基づいて計算された情報に基づいて、受信されたデータからＭＡＩ＋ＩＳＩ干渉評価及びＭＵＩ干渉評価を生成するよう処理し、ＭＡＩ＋ＩＳＩ干渉評価及びＭＵＩ干渉評価は、次に、次の第１の減算（２０１）及び次の第２の減算（２０４）にそれぞれ再帰的に送信されることと
を用いるようにしたことを特徴とする受信方法。
【請求項２】
ステップ（Ｂ）の送信拡散はＮよりも厳密的に大きいＫで行われることを特徴とする請求項１に記載の受信方法。
【請求項３】
当該受信方法は、１よりも厳密に大きいアンテナごとのチャンネルの数でかつ各アンテナごとに独立して、送信時に、ステップ（B）の間拡散されたデータを処理するよう適合されており、拡散行列（Ｗ、Ｗｎ）は、アンテナの数に等しいブロックの数を有する対角線ブロック行列であり、ブロックは、Ｎ／Ｔ直交コードから構成されることを特徴とする請求項１または２に記載の受信方法。
【請求項４】
当該受信方法は、送信時に、Ｎ直交コードから構成された拡散完全行列（Ｗ、Ｗｎ）によって、ステップ（B）の間拡散されたデータを処理するよう適合されることを特徴とする請求項１または２に記載の受信方法。
【請求項５】
Ｔの第１のフィルタは、平均二乗誤差（ＭＭＳＥ）を最小にする規準を用いて導出され、Ｔの第１のフィルタは、与えられたチャンネルに対して時間において不変であることを特徴とする請求項１乃至４のいずれかに記載の受信方法。
【請求項６】
Ｔの第１のフィルタは、（一般に単一ユーザ整合されたフィルタ（ＳＵＭＦ）と称する）整合フィルタであることを特徴とする請求項１乃至４のいずれかに記載の受信方法。
【請求項７】
Ｔの第１のフィルタは、平均二乗誤差（ＭＭＳＥ）を最小にする規準に従って最初に導出され、次に、与えられた反復から（一般に単一ユーザ整合されたフィルタ（ＳＵＭＦ）と称する）整合フィルタとなることを特徴とする請求項１乃至４のいずれかに記載の受信方法。
【請求項８】
送信ステップ（Ｂ）の拡散は周期的に行われ、ステップ（Ｃ）はチップ・インターリービングを含み、Ｋの第２のフィルタは、無条件の平均二乗誤差を最小にする規準に従って導出され、そしてＫの第２のフィルタは、与えられたチャンネルに対して時間において不変であることを特徴とする請求項１乃至７のいずれかに記載の受信方法。
【請求項９】
Ｋの第２のフィルタは、一般に単一ユーザ整合されたフィルタ（ＳＵＭＦ）と称する整合フィルタであることを特徴とする請求項１乃至７のいずれかに記載の受信方法。
【請求項１０】
送信ステップ（Ｂ）の拡散は周期的に行われ、ステップ（Ｃ）はチップ・インターリービングを含み、Ｋの第２のフィルタは、無条件の平均二乗誤差を最小にする規準に従って導出され（従って、Ｋの第２のフィルタは、与えられたチャンネルに対して時間において不変であり）、次に、与えられた反復から（一般に単一ユーザ整合されたフィルタ（ＳＵＭＦ）と称する）Ｋの整合されたフィルタとなることを特徴とする請求項１乃至７のいずれかに記載の受信方法。
【請求項１１】
Ｔの第１のフィルタは、フィルタリング（２０２）後に信号対雑音比（ＳＮＲ）を最小にすることにより複数の受信アンテナの空間ダイバーシティを特に考慮することを特徴とする請求項１乃至１０のいずれかに記載の受信方法。
【請求項１２】
第１及び／または第２のフィルタは、スライディング・ウィンドウを用いて計算されることを特徴とする請求項１乃至１１のいずれかに記載の受信方法。
【請求項１３】
送信ステップ（Ｂ）の拡散は非周期的に行われ、送信ステップ（Ｃ）の処理は、インターリービング無しでＴの送信アンテナ上への多重化を含み、受信上への前記逆処理（２０３）は、次に、Ｎチャンネル上への逆多重化を含むことを特徴とする請求項１乃至１２のいずれかに記載の受信方法。
【請求項１４】
送信ステップ（Ｃ）の処理は、１つのチャンネル上への多重化、チップ・インターリービング、そして次に、Ｔの送信アンテナ上への逆多重化を含み、受信上への前記逆処理は、次に、１つのチャンネル上への多重化、チップ・デインターリービング、そして次に、Ｎチャンネル上への逆多重化を含むことを特徴とする請求項１乃至１２のいずれかに記載の受信方法。
【請求項１５】
送信時、データはステップ（Ａ）の前にコード化されており、受信時、干渉評価を生成するための前記処理は、
・  送信変調されたデータの評価
【数８】
2007534245.tif 000008
を処理して、デコーディングのために使用可能な変調されたデータ・ビット確率的情報を生成する、重み付けされた出力処理（２０６）と；
・  前記確率的情報から確率的量（λ）を生成するための、デコーディング（２０９）と、
・  この確率的量（λ）に基づいてＭＵＩ干渉評価を生成するＭＵＩ干渉再生成（２１３、２１３’）と、この干渉評価は、次に、次の第２の減算ステップ（２０４）に再帰的に送信され、
・  確率的量（λ）に基づいて、かつステップ（Ｃ）のものと一致する処理（２１５）により、ＭＡＩ＋ＩＳＩ干渉評価を生成するためのＭＡＩ＋ＩＳＩ干渉再生成（２１６、２１６’）と、この干渉評価は、次に、次の第１の減算ステップ（２０１）に再帰的に送信されるものである、
を用いることを特徴とする請求項１乃至１４のいずれかに記載の受信方法。
【請求項１６】
ＭＡＩ＋ＩＳＩ及びＭＵＩ干渉の再生成は、送信変調されたデータの評価
【数９】
2007534245.tif 000009
から干渉評価を生成し、該評価
【数１０】
2007534245.tif 000010
は、デコーディング（２０９）後に前以て利用可能な送信されたビットの関数である外来情報（ξ）に基づいて平均二乗誤差（ＭＭＳＥ）を最小にする規準の意味において計算される（２１２）ことを特徴とする請求項１５に記載の受信方法。
【請求項１７】
送信時、データはステップ（Ａ）の前にコード化されかつインターリービングされており、受信時、干渉評価を生成するための前記処理は、
・  送信変調されたデータ
【数１１】
2007534245.tif 000011
及びデコーディング（２０９）から帰結するデコーディング統計値（Π）を評価することに基づいて、変調されたデータ・ビットごとの統計値（Λ）を生成するための重み付けされた出力処理（２０６）と；
・  先に生成された確率的量（Λ）から発見されるビット・レベルの外来の統計値（Ξ）におけるデインターリービング（２０８）と；
・  この方法でデインターリービングされたデータ（φ）に基づいてビットのすべてに渡る確率的量（λ）を生成する重み付けされた入力及び出力のデコーディング（２０９）と；
・  確率的量（λ）から発見されるビット・レベルの外来の統計値（ξ）におけるインターリービング（２１１ａ−２１１ｂ）と；インターリービングされた新しい統計値（Π）は、従って、重み付けされた出力処理の次のステップ（２０６）に再帰的に送信され、
・  前記新しいインターリービングされた統計値（Π）からの平均二乗誤差（ＭＭＳＥ）を最小にする規準の意味において計算され（２１２）た送信変調されたデータの評価
【数１２】
2007534245.tif 000012
に基づいてＭＵＩ干渉評価を生成するようＭＵＩ干渉を再生成する（２１０、２１０’）ことと；該ＭＵＩ干渉評価は、次に、次の第２の減算ステップ（２０４）に再帰的に送信され、
・  ステップ（Ｃ）のものと一致する処理（２１５）により送信変調されたデータの同じ評価
【数１３】
2007534245.tif 000013
に基づいてＭＡＩ＋ＩＳＩ干渉評価を生成するためのＭＡＩ＋ＩＳＩ干渉再生成（２１６、２１６’）と；この干渉評価は、次に、次の第１の減算（２０１）に再帰的に送信されものである、
を用いることを特徴とする請求項１乃至１４のいずれかに記載の受信方法。
【請求項１８】
デコーディング（２０９）後の前記確率的量（λ）は、変調されたデータ・ビット情報の経験的確率との比の対数である請求項１５乃至１７のいずれかに記載の受信方法。
【請求項１９】
デコーディング（２０９）は、重み付けされた入力及び出力を有するビタビ・アルゴリズムにより前記確率的量（λ）を計算することを特徴とする請求項１乃至１８のいずれかに記載の受信方法。
【請求項２０】
送信ステップ（Ｂ）の拡散は、周波数領域において行われ、受信前の送信は多重搬送波型のものであることを特徴とする請求項１乃至１９のいずれかに記載の受信方法。
【請求項２１】
送信ステップ（Ｂ）の拡散は、時間領域において行われ、受信前の送信は、単一搬送波型のものであることを特徴とする請求項１乃至１９のいずれかに記載の受信方法。
【請求項２２】
・  複数の送信アンテナを有し、そして送信アンテナの数Ｔより厳密に大きい数Ｋのチャンネル上で変調を行うように、かつＮ×Ｋの周期的拡散行列（Ｗ）またはＮ×Ｋの非周期的拡散行列（Ｗｎ）で、変調されたデータのＫ次元ベクトルに渡って、拡散するように（ここに、Ｎは、Ｔよりも厳密に大きい）、適合された送信するシステムと；
・  周波数選択性送信チャンネルと；
・  複数の受信アンテナを有し、そして請求項１乃至２１のいずれかに記載の受信方法を履行するよう適合された受信システムと；
を備えた送信システム。
【請求項２３】
複数の送信アンテナ及び複数の受信アンテナを有する周波数選択性チャンネルを介した通信のための受信システムであって、
当該受信システムは、受信アンテナを介して受信されるデータを処理するよう適合され、該データは、送信時に、連続的に、
（Ａ）Ｋチャンネル上で変調されており、該数Ｋは送信アンテナの数Ｔより厳密に大きく、
（Ｂ）Ｎ×Ｋの周期的拡散行列（Ｗ）またはＮ×Ｋの非周期的拡散行列（Ｗｎ）で時間または周波数において拡散しており、ここに、Ｎは、変調されたデータのＫ次元ベクトルに渡って、Ｔよりも厳密に大きく、
（Ｃ）Ｔの送信アンテナから送信されるよう処理されており、
当該受信システムは、この目的のために、
・  受信されたデータを処理するよう適合されたＴの第１の線形フィルタ（２０２、２０２’）を備え、ここに、ステップ（Ｂ）の拡散後に送信されるチップの評価
【数１４】
2007534245.tif 000014
を生成するよう、マルチアンテナ干渉（ＭＡＩ）及び符号（シンボル）間干渉（ＩＳＩ）の評価の減算後に適用可能であり、このフィルタは、複数の受信アンテナの空間ダイバーシティを特に考慮し、
・  前記Ｔの第１のフィルタ上流または下流に、先のフィルタリングによって生成された送信変調されたデータの評価
【数１５】
2007534245.tif 000015
に基づいて計算された情報から先に再生成されたマルチアンテナ干渉（ＭＡＩ）及び符号（シンボル）間干渉（ＩＳＩ）の評価を用いる第１の干渉減算器を備え、
・  先に評価されたチップの再編成
【数１６】
2007534245.tif 000016
を用いて、送信ステップ（Ｃ）のものの逆である処理を行うよう適合された処理手段（２０３）を備え、
・  この方法で得られた送信されたチップの評価
【数１７】
2007534245.tif 000017
を処理するよう適合されたＫの第２線形フィルタ（２０５、２０５’）を備え、ここに、ステップ（Ｂ）の拡散前に送信変調されたデータの評価
【数１８】
2007534245.tif 000018
を生成するよう、マルチユーザ干渉（ＭＵＩ）の評価を減算後に適切であり、この第２のフィルタリングは、複数の受信アンテナの空間ダイバーシティを特に考慮し、
・  前記Ｋの第２のフィルタの上流または下流に、先のフィルタリングによって生成された送信変調されたデータの評価
【数１９】
2007534245.tif 000019
に基づいて計算された情報から先に再生成されたＭＵＩ干渉評価を用いる第２の干渉減算器（２０４）を備え、
・  送信変調されたデータの前記評価
【数２０】
2007534245.tif 000020
に基づいて計算された情報に基づいて、受信されたデータからＭＡＩ＋ＩＳＩ干渉評価及びＭＵＩ干渉評価を生成するための処理手段を備え、ＭＡＩ＋ＩＳＩ干渉評価及びＭＵＩ干渉評価は、次に、次の第１の減算（２０１）及び次の第２の減算（２０４）にそれぞれ再帰的に送信され、
当該受信システムのこれらの種々の要素は、反復的に用いられるよう適合されていることを特徴とする受信システム。
【請求項２４】
Ｔの第１のフィルタは、平均二乗誤差（ＭＭＳＥ）を最小にする規準を用いて導出されることを特徴とする請求項１乃至２３のいずれかに記載の受信システム。
【請求項２５】
Ｔの第１のフィルタは、一般に単一ユーザ整合されたフィルタ（ＳＵＭＦ）と称される整合フィルタであることを特徴とする請求項２３に記載の受信システム。
【請求項２６】
Ｔの第１のフィルタは、平均二乗誤差（ＭＭＳＥ）を最小にする規準に従って最初に導出され、次に、与えられた反復から、一般に単一ユーザ整合されたフィルタ（ＳＵＭＦ）と称されるＴの整合されたフィルタとなることを特徴とする請求項２３に記載の受信システム。
【請求項２７】
送信ステップ（Ｂ）の拡散は周期的に行われ、ステップ（Ｃ）はチップ・インターリービングを含み、そしてＫの第２のフィルタは、無条件の平均二乗誤差を最小にする規準に従って導出され、Ｋの第２のフィルタは、与えられたチャンネルに対して時間において不変であることを特徴とする請求項２３乃至２６のいずれかに記載の受信システム。
【請求項２８】
Ｋの第２のフィルタは、（一般に単一ユーザ整合されたフィルタ（ＳＵＭＦ）と称される）整合フィルタであることを特徴とする請求項２３乃至２６のいずれかに記載の受信システム。
【請求項２９】
送信ステップ（Ｂ）の拡散は周期的に行われ、ステップ（Ｃ）はチップ・インターリービングを含み、そしてＫの第２のフィルタは、無条件の平均二乗誤差を最小にする規準に従って最初に導出され（次に、Ｋの第２のフィルタは、与えられたチャンネルに対して時間において不変であり）、次に、与えられた反復から（一般に単一ユーザ整合されたフィルタ（ＳＵＭＦ）と称される）Ｋの整合されたフィルタとなることを特徴とする請求項２３乃至２６のいずれかに記載の受信システム。
【請求項３０】
送信ステップ（Ｂ）の拡散は非周期的に行われ、送信ステップ（Ｃ）の処理は、Ｔの送信アンテナ上への多重化を含み、送信ステップ（Ｃ）のものの逆である処理を実行するよう適合された処理手段（２０３）は、次に、Ｎチャンネル上への逆多重化を含むことを特徴とする請求項２３乃至２９のいずれかに記載の受信システム。
【請求項３１】
送信ステップ（Ｃ）の処理は、１つのチャンネル上への多重化、チップ・インターリービング、そして次に、Ｔの送信アンテナ上への逆多重化を含み、送信ステップ（Ｃ）のものの逆である処理を実行するよう適合された処理手段（２０３）は、次に、１つのチャンネル上へのマルチプレクサ、チップ・デインターリーバ、そして次に、Ｎチャンネル上へのデマルチプレクサを含むことを特徴とする請求項２３乃至２９のいずれかに記載の受信システム。
【請求項３２】
送信時、データはステップ（Ａ）の前にコード化されており、受信時、干渉評価を生成するための前記処理手段は、
・  送信変調されたデータの評価
【数２１】
2007534245.tif 000021
を処理して、デコーダによって使用可能な変調されたデータ・ビット確率的情報を生成するための重み付けされた出力処理手段（２０６）と；
・  前記確率的情報から確率的量（λ）を生成するための、デコーダ（２０９）と；
・  この確率的量（λ）に基づいてＭＵＩ干渉評価を生成するためのＭＵＩ干渉再生成器（２１３、２１３’）と；この干渉評価は、次に、第２の減算器（２０４）に再帰的に送信され、
・  確率的量（λ）に基づいてかつステップ（Ｃ）のものと一致する処理（２１５）により、ＭＡＩ＋ＩＳＩ干渉評価を生成するためのＭＡＩ＋ＩＳＩ干渉再生成器（２１６、２１６’）と；この干渉評価は、次に、第１の減算器（２０１）に再帰的に送信される、
を備えることを特徴とする請求項１乃至３１のいずれかに記載の受信システム。
【請求項３３】
送信時、データはステップ（Ａ）の前にコード化されかつインターリービングされており、受信時、干渉評価を生成するための前記処理手段は、
・  送信変調されたデータの評価
【数２２】
2007534245.tif 000022
及びデコーダ（２０９）からのデコーディング統計値（Π）から、各変調されたデータ・ビットごとの統計値（Λ）を生成するための重み付けされた出力処理手段（２０６）と；
・  先に生成された確率的量（Λ）から発見される外来の統計値のビット・レベル（Ξ）におけるデインターリーバ（２０８）と；
・  ビットのすべてに渡る確率的量（λ）を生成するこの方法でデインターリービングされたデータ（φ）から生成するための１つの重み付けされた入力及び出力デコーダ（２０９）と；
・  確率的量（λ）から発見される外来の統計値（ξ）のビット・レベルにおけるインターリーバ（２１１ａ−２１１ｂ）と；このようにインターリービングされた新しい統計値（Π）は、重み付けされた出力処理手段（２０６）に再帰的に送信され、
・  前記新しいインターリービングされた統計値（Π）からの平均二乗誤差（ＭＭＳＥ）を最小にする規準の意味において計算され（２１２）た送信変調されたデータの評価
【数２３】
2007534245.tif 000023
に基づいてＭＵＩ干渉評価を生成するためのＭＵＩ干渉を再生成器（２１０、２１０’）と；該ＭＵＩ干渉評価は、次に、第２の減算器（２０４）に再帰的に送信され、
・  ステップ（Ｃ）のものと一致する処理（２１５）により送信変調されたデータの同じ評価
【数２４】
2007534245.tif 000024
に基づいてＭＡＩ＋ＩＳＩ干渉評価を生成するためのＭＡＩ＋ＩＳＩ干渉再生成器（２１６、２１６’）と；この干渉評価は次に、第１の減算器（２０１）に再帰的に送信され、
を備えることを特徴とする請求項２３乃至３１のいずれかに記載の受信システム。